(57)【要約】      （修正有）【課題】作成のための工程が簡略化された低コストな構成でありながら、安全確実にレーザ光源の出力調整を行える光ピックアップ装置を提供する。【解決手段】半導体レーザの出力を調整するための半固定抵抗ＨＦＲの調整ねじＨＦＲｂが、片側実装基板ＣＢの実装面とは裏側の背面側から調整可能に配置されているため、対物レンズＯＢＪに対向して配置したパワーメータ又は光ディスクの再生信号をモニタしながら、確実に半固定抵抗ＨＦＲの調整ねじＨＦＲｂを回すことが出来、半導体レーザの出力調整の精度と自由度が増し、短時間で効率的に調整を行える。光束が出射する方向とは反対側の面で作業者が調整を行えることから、作業者の安全を確保できる。又、半固定抵抗ＨＦＲを取り付ける基板ＣＢが片面実装基板であるため、光ピックアップ装置の製作工程が簡略化され、両面実装基板やフレキシブルプリント配線基板等を用いる場合に比べると、コスト低減を図れる。【選択図】図３
2009151852.tif 000002
【特許請求の範囲】
【請求項１】
ハウジングと、
前記ハウジングに設けられたレーザ光源と、
前記ハウジングに設けられた出射光学部品と、
前記ハウジングに設けられ、前記レーザ光源からの光を前記出射光学部品へ導く光学系と、
前記ハウジングに設けられ、穴もしくは切欠きを有し、前記出射光学部品側を向く第１の面のみに電子部品が実装される片面実装基板と、  
前記片面実装基板の第１の面に接続され、調整面を有し、前記レーザ光源の出力を調整するための調整素子と、を有し、
前記調整素子の調整面は、前記穴もしくは切欠きを通して、前記片側実装基板の第１の面に対して裏側となる第２の面側から調整可能に配置されていることを特徴とする光ピックアップ装置。
【請求項２】
前記ハウジングと、前記片面実装基板の第２の面とが接していることを特徴とする請求項１記載の光ピックアップ装置。
【請求項３】
前記ハウジングに穴もしくは切欠きを有し、前記調整素子の調整面は、前記ハウジングの穴もしくは切欠きを通して、前記第２の面側から調整可能に配置されていることを特徴とする請求項２に記載の光ピックアップ装置。
【請求項４】
前記出射光学部品が対物レンズであることを特徴とする請求項１から３のいずれかに記載の光ピックアップ装置。
【請求項５】
前記調整素子が、半固定抵抗であることを特徴とする請求項１から４のいずれか１項に記載の光ピックアップ装置。
【請求項６】
前記レーザ光源を複数有し、前記レーザ光源に応じて前記調整素子が複数配置されていることを特徴とする請求項１から５のいずれか１項に記載の光ピックアップ装置。
【請求項７】
前記複数の調整素子の調整面は、単一の前記片面実装基板の穴又は切欠きを介して前記第２の面側から調整可能に配置されていることを特徴とする請求項６に記載の光ピックアップ装置。
【発明の詳細な説明】
【技術分野】
【０００１】
本発明は、光ピックアップ装置に関し、特に、光ディスクに対して情報の記録及び／又は再生を行うことができ、レーザ光源から出射される光束の強度を検出して、調整素子を用いてレーザ光源の出力を調整することができる光ピックアップ装置に関する。
【背景技術】
【０００２】
光ピックアップのレーザ光源として主に用いられている半導体レーザは、温度変動や経年変化によって出射パワーが変動するが、これを放置すると適切な情報の記録及び／又は再生を行えない恐れがる。そこで、一般的な光ピックアップ装置においては、ＡＰＣ（Ａｕｔｏ Ｐｏｗｅｒ Ｃｏｎｔｒｏｌ）駆動によってその出力制御を行い、光ディスク等の情報記録媒体に対して照射される光束の強度の安定化を図ることが行われている。通常のＡＰＣ制御においては、半導体レーザの光出射端面から出射される光束の一部を受光素子でモニタし、モニタした光束の出力を半導体レーザの駆動回路にフィードバックしてレーザ光の出射パワーを一定に保つように制御される。
【０００３】
ところで、半導体レーザには個体差により出力のバラツキがあるので、光ピックアップ装置に組み付ける際には、個々の半導体レーザ毎に出力強度を所定範囲内に調整する必要がある。かかる調整としては、光ピックアップ装置に組み付けられた半導体レーザの出力強度をパワーメータを用いて測定しながら調整を行う方法と、実際の光ピックアップ装置にて光ディスクに照射された光束の反射光を受光した光検出器から出力される情報再生信号をモニタしながら調整する方法とがあるが、いずれも半導体レーザの駆動回路と半導体レーザとの間に設けた半固定抵抗を作業者が調整治具を用いて操作することで調整を行っている。パワーメータを用いる調整は、出射光学部品である対物レンズの出射面に対向してパワーモニタを設置し、対物レンズから出射されるレーザ光の強度をパワーモニタで検出しながら行っている。
【０００４】
特許文献１には、半導体レーザの出力調整に用いる半固定抵抗を実装した光ピックアップ装置が開示されている。より具体的には、特許文献１の図２に示す例では、半固定抵抗は、スライドベースの側面まで延長されたフレキシブルプリント配線基板上に配置されている。又、特許文献１の図４に示す例では、半固定抵抗は、スライドベースの穴を塞ぐようにして密着したフレキシブルプリント配線基板に取り付けられ、且つ上記穴内に挿入するように配置されており、その調整面は対物レンズからのレーザ光が出射される側とは反対側に向いている。
【特許文献１】特開平１１−１１０７８４号公報
【発明の開示】
【発明が解決しようとする課題】
【０００５】
より具体的に説明するために、特許文献の図２に対応する構成を図１３に示し、特許文献の図４に対応する構成を図１４に示す。ここで、図１３に示す従来技術では、光ピックアップ装置ＰＵを支持するスライドベースＳＢの上面から側面にかけて、フレキシブルプリント配線板ＦＰＣが貼り付けられ、半固定抵抗ＨＦＲは、スライドベースＳＢの側面におけるフレキシブルプリント配線板ＦＰＣに取り付けられ、突出して設けられている。しかるに、かかる構成では、半固定抵抗ＨＦＲを取り付けるためのスペースをスライドベースＳＢに設ける必要があり、更にはスライドベースＳＢの側面に沿って折り曲げられたフレキシブルプリント配線板ＦＰＣが剥がれ易いという問題がある。
【０００６】
一方、図１４に示す従来技術では、図１４（ａ）のB-B線で切断して矢印方向に見た断面図である図１４（ｂ）に示すように、半固定抵抗ＨＦＲは、スライドベースＳＢの穴ＡＰを塞ぐようにして密着したフレキシブルプリント配線板ＦＰＣに取り付けられ、且つ穴ＡＰ内に挿入するように配置されており、その調整面ＨＦＲｂは対物レンズＯＢＪ（図１４（ａ））からのレーザ光が出射される側とは反対側（図１４（ｂ）で下方）に向いている。しかるに、かかる構成では、通常の基板に加えてフレキシブルプリント配線板ＦＰＣが必要であって、部品点数の増大と取り付ける手間がかかり工数増となり、結果としてコスト増を招いているという問題がある。
【０００７】
これに対し、片面実装基板上に半固定抵抗を実装することで、コストを低減することは可能である。しかしながら、片面実装基板を光ピックアップ装置に取り付ける場合、片面実装基板を取り付けるハウジングであるキャリアによる回路ショートを避けるため、電子部品が実装されている面が対物レンズの出射面側を向くように取り付けることになる。この結果、片面実装基板上に半固定抵抗を実装すると、半固定抵抗を、対物レンズからのレーザ光が出射される側に配置することになる。しかるに、図１５に示すように、パワーメータＰＭを用いた半固定抵抗の調整では、前述したとおり光ピックアップ装置ＰＵの対物レンズＯＢＪの出射面に対向してパワーモニタＰＭを設置することになるので、半固定抵抗を調整する際には、片面実装基板ＣＢとパワーモニタＰＭとのわずかな隙間を利用して、作業者ＷＭが調整治具Ｊを差し入れなくてはならず、調整の手間がかかり工数の増大に繋がる。又、一般的にレーザ光ＬＢが人体、特に目の中に侵入しないように細心の注意を払う必要があるが、かかる調整では、作業者ＷＭは半固定抵抗の調整面を目視するために、レーザ光ＬＢが出射してくる側に位置し、片面実装基板ＣＢとパワーメータＰＭの間を覗き込む形になり、閉じた空間内で作業者ＷＭの目が対物レンズＯＢＪから出射されたレーザ光ＬＢに近接する形になるので、作業者ＷＭの安全確保の観点からも問題である。一方、光ディスクの再生信号を用いた半固定抵抗の調整では、更に狭い片面実装基板と光ディスクの隙間を利用して、調整治具を差し入れなければならないため、より調整に手間がかかり工数の増大に繋がる。
【０００８】
これに対し、両面実装基板を用い、両面実装基板の対物レンズの出射面側とは反対側の面に半固定抵抗を実装することも可能ではあるが、両面実装基板とすると、作成のための手間や工数が増大し、結果として光ピックアップ装置の製作コストが増大するという問題がある。
【０００９】
本発明は、かかる問題点に鑑みて成されたものであり、作成のための工程が簡略化された低コストな構成でありながら、安全確実にレーザ光源の出力調整を行える光ピックアップ装置を提供することを目的とする。
【課題を解決するための手段】
【００１０】
請求項１に記載の光ピックアップ装置は、
ハウジングと、
前記ハウジングに設けられたレーザ光源と、
前記ハウジングに設けられた出射光学部品と、
前記ハウジングに設けられ、前記レーザ光源からの光を前記出射光学部品へ導く光学系と、
前記ハウジングに設けられ、穴もしくは切欠きを有し、前記出射光学部品側を向く第１の面のみに電子部品が実装される片面実装基板と、  
前記片面実装基板の第１の面に接続され、調整面を有し、前記レーザ光源の出力を調整するための調整素子と、を有し、
前記調整素子の調整面は、前記穴もしくは切欠きを通して、前記片側実装基板の第１の面に対して裏側となる第２の面側から調整可能に配置されていることを特徴とする。
【００１１】
本発明によれば、前記レーザ光源の出力を調整するための前記調整素子の調整面が、前記片側実装基板の第１の面に対して裏側となる第２の面側から調整可能に配置されているため、前記出射光学部品の出射面に対向して配置したパワーメータの出力又は光ディスクの再生信号をモニタしながら、確実に前記調整素子の調整面を操作することが出来、前記レーザ光源の出力調整の精度と自由度が増し、短時間で効率的に調整を行える。更に、前記レーザ光源の出力を調整するための調整素子の調整面が、前記片側実装基板の第１の面に対して裏側となる第２の面側から調整可能に配置されているため、光束が出射する方向とは反対側の面で作業者が調整を行えることから、作業者の安全を確保できる。又、前記調整素子を取り付ける基板が片面実装基板であるため、光ピックアップ装置の製作工程が簡略化され、両面実装基板やフレキシブルプリント配線基板等を用いる場合に比べると、コスト低減を図れる。尚、「第２の面側から調整可能に配置されている」とは、作業者が第２の面側から素手や調整治具を機械的に調整面にアクセスさせて直接操作可能となっていることをいい、電気的、磁気的等の遠隔調整を含まない。
【００１２】
請求項２に記載の光ピックアップ装置は、請求項１に記載の発明において、前記ハウジングと、前記片面実装基板の第２の面とが接していることを特徴とする。
【００１３】
請求項３に記載の光ピックアップ装置は、請求項２に記載の発明において、前記ハウジングに穴もしくは切欠きを有し、前記調整素子の調整面は、前記ハウジングの穴もしくは切欠きを通して、前記第２の面側から調整可能に配置されていることを特徴とする。かかる構成によれば、前記ハウジングの穴もしくは切欠きを通して、調整用の治具を挿入して調整を行うことが出来、光ピックアップ装置をドライブに組み込んだ状態でも調整を行える。
【００１４】
請求項４に記載の光ピックアップ装置は、請求項１から３のいずれかに記載の発明において、前記出射光学部品が対物レンズであると好ましい。
【００１５】
請求項５に記載の光ピックアップ装置は、請求項１から４のいずれかに記載の発明において、前記調整素子が、半固定抵抗であると、調整面に設けられたねじなどを回すことで電気的抵抗が変化するので好ましい。
【００１６】
請求項６に記載の光ピックアップ装置は、請求項１から５のいずれかに記載の発明において、前記レーザ光源を複数有し、前記レーザ光源に応じて前記調整素子が複数配置されていると、異なる種類の光ディスクに対して互換可能に情報の記録及び／又は再生を行える光ピックアップ装置に適用できる。
【００１７】
請求項７に記載の光ピックアップ装置は、請求項６に記載の発明において、前記複数の調整素子の調整面は、単一の前記片面実装基板の穴又は切欠きを介して前記第２の面側から調整可能に配置されていることを特徴とする。
【発明の効果】
【００１８】
本発明によれば、作成のための工程が簡略化された低コストな構成でありながら、安全確実にレーザ光源の出力調整を行える光ピックアップ装置を提供することができる。
【発明を実施するための最良の形態】
【００１９】
以下、図面を参照して、本発明の実施の形態をさらに詳細に説明する。図１は、本実施の形態にかかる光ピックアップ装置を対物レンズが配置された側から見た図であり、図２は、本実施の形態にかかる光ピックアップ装置を対物レンズとは反対側から見た図である。
【００２０】
図１において、金属製のハウジングであるキャリヤＣＹは、平行なガイド軸Ｇ１，Ｇ２にガイドされつつ、図で左右方向に移動可能となっている。キャリヤＣＹの片面には、エポキシ樹脂製の基板ＣＢが固着されている。基板ＣＢは、いわゆる片側実装基板であり、キャリヤＣＹによる回路ショートを回避すべく、図１に示す側の第１の面（ここでは実装面といい、その反対側のキャリヤＣＹに接する面が第２の面である）のみに多数の電子部品（不図示）やコネクタＣＴを実装している。対物レンズＯＢＪが、フォーカシング動作及びトラッキング動作のために、アクチュエータＡＣＴによりキャリヤＣＹに対して移動可能に保持されている。
【００２１】
図２に示すように、キャリヤＣＹには、穴ＣＹａが形成されており、それに重なるようにして、基板ＣＢには、穴ＣＢａが形成されている（図１参照）。穴ＣＢａ内には、調整素子である２つの半固定抵抗ＨＦＲが配置されている。ここでは、一方の半固定抵抗ＨＦＲは、青紫色半導体レーザ制御用であり、他方の半固定抵抗ＨＦＲは、赤色半導体レーザ制御用であるものとする。
【００２２】
図３は、穴ＣＹａ、ＣＢａ内に配置された半固定抵抗ＨＦＲの斜視図であり、穴ＣＹａ、ＣＢａを切断して示している。図３において、半固定抵抗ＨＦＲは、配線を兼ねる３つの金属脚ＨＦＲａを有している。各金属脚ＨＦＲａの端部は、基板ＣＢの実装面上の端子ＴＬに、それぞれハンダ付けされており、基板ＣＢの実装面に実装した電子部品（図３で不図示）に接続されて、半導体レーザの駆動回路の一部を構成している。金属脚ＨＦＲａの剛性は高いので、３本の金属脚ＨＦＲａで半固定抵抗ＨＦＲは、穴ＣＹａ、ＣＢａ内につり下げられる形で配置されている。
【００２３】
半固定抵抗ＨＦＲの図３で下面側は調整面となっており、下面側に十字穴（不図示）を形成した調整ねじＨＦＲｂが配置されている。穴ＣＹａ、ＣＢａは、図３で下面側から調整ねじＨＦＲｂにアクセス可能なように調整用治具Ｊが通過可能なサイズを有し、即ち下面側から調整面を見通せるようになっている。
【００２４】
調整ねじＨＦＲｂは、半固定抵抗ＨＦＲの筐体内に配置された可変抵抗（不図示）に接続されており、調整ねじＨＦＲｂを、その十字穴に係合させた調整用治具Ｊを用いて回転させることで、端子ＴＬ間の抵抗を変化させることができるようになっている。半固定抵抗ＨＦＲは、１回転調整タイプでも、多回転調整タイプでも良い。尚、半固定抵抗ＨＦＲの内部構造は公知であり、例えば特開平７−２９７１０号公報に記載されているので、詳細は省略する。
【００２５】
図４は、本実施の形態の光ピックアップ装置ＰＵの概略側面図であり、図５は、図４の構成をV-V線を含む面で切断して矢印方向に見た断面図である。本実施の形態の光ピックアップ装置は、ＢＤ（Ｂｌｕ−ｒａｙ  Ｄｉｓｃ）、ＤＶＤの２種類の光ディスクに対して情報の再生を行えるようになっているが、トラッキング用の光束を生成する回折格子等を追加することにより、情報の記録も行うことが可能である。尚、少なくとも１種類（例えば３種類以上）の光ディスクに対して情報の記録／再生を行うことができれば好ましい。ここでは、対物レンズＢＪが出射光学部品を構成し、青紫色用偏光ビームスプリッタ６、立ち上げミラー４、コリメートレンズ３，λ／４波長板９からなる系，及び回折格子６，偏光ビームスプリッタ１１，青紫色用偏光ビームスプリッタ６、立ち上げミラー４、コリメートレンズ３，λ／４波長板９からなる系が、それぞれ光学系を構成する。
【００２６】
次に、本実施の形態にかかる光ピックアップ装置の動作について説明する。図４，５において、ＢＤから情報の再生を行う場合、レーザ光源である第１半導体レーザ５を発光させると、そこから出射された波長４０５ｎｍ前後のレーザ光束は、青紫色用偏光ビームスプリッタ６で反射され、更に図４に示すように立ち上げミラー４で反射されるが、一部は立ち上げミラー４を通過してパワーモニタ７で検出される。パワーモニタ７からの信号は駆動回路ＡＰＣに入力され、第１半導体レーザ５を制御するために用いられる。一方、立ち上げミラー４で反射された光束は、コリメートレンズ３，λ／４波長板９を通過し、対物レンズＯＢＪを介して、ＢＤの情報記録面に集光される。
【００２７】
ＢＤの情報記録面から反射した光束は、対物レンズＯＢＪ，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＢＤから情報の再生を行うことができる。
【００２８】
ここで、光検出器１３上での光スポットの形状変化、強度分布変化を検出して、合焦検出やトラック検出を行う。この検出に基づいて、第１半導体レーザ５からの光束をＢＤの情報記録面上に結像するように、アクチュエータＡＣＴにより、対物レンズＯＢＪをボビンと一体で、フォーカシング、トラッキング駆動できるようになっている。
【００２９】
ＤＶＤから情報の再生を行う場合、レーザ光源である第２半導体レーザ１５を発光させると、そこから出射された波長６６０ｎｍ前後のレーザ光束は、回折格子１６を通過し、偏光ビームスプリッタ１１で反射され、青紫色用偏光ビームスプリッタ６を通過し、更に立ち上げミラー４で反射されるが、一部は立ち上げミラー４を通過してパワーモニタ７で検出される。パワーモニタ７からの信号は駆動回路ＡＰＣに入力され、第２半導体レーザ１５を制御するために用いられる。一方、立ち上げミラー４で反射された光束は、コリメートレンズ３，λ／４波長板９を通過し、対物レンズＯＢＪを介して、ＤＶＤの情報記録面に集光される。
【００３０】
ＤＶＤの情報記録面から反射した光束は、対物レンズＯＢＪ，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＤＶＤから情報の再生を行うことができる。
【００３１】
ここで、光検出器１３上での光スポットの形状変化、強度分布変化を検出して、合焦検出やトラック検出を行う。この検出に基づいて、第２半導体レーザ１５からの光束をＤＶＤの情報記録面上に結像するように、アクチュエータＡＣＴにより、対物レンズＯＢＪをボビンと一体で、フォーカシング、トラッキング駆動できるようになっている。
【００３２】
次に、本実施の形態にかかる光ピックアップ装置における半導体レーザの駆動回路について述べる。図６は、本発明による半固定抵抗ＨＦＲを用いた半導体レーザの駆動回路ＡＰＣを示す回路図であり、第１半導体レーザ５を駆動する回路を示しているが、第２半導体レーザ１５も同様である。図６において、駆動回路ＡＰＣは、電源Ｅからの基準電圧を、コンパレータＣＰの一方の入力端子に入力し、このコンパレータＣＰの出力を、スイッチングトランジスタＳＴのベースに入力することにより、定電圧電源からの駆動電圧の半導体レーザ５への供給を制御する。
【００３３】
この半導体レーザ５から出射するレーザ光をパワーモニタ７により受光して、このパワーモニタ７の出力信号を、上記コンパレータＣＰの他方の入力端子に入力すると共に、パワー調整用の半固定抵抗ＨＦＲを介して、アース接続する。かかる構成により、パワーモニタ７の受光量に応じて、半導体レーザ５の出力を制御することができる。尚、駆動回路ＡＰＣを構成する電子部品の全ては、基板ＣＢ（図１）の実装面に実装されている。
【００３４】
光ピックアップ装置の組み付け時には、出射光学部品である対物レンズＯＢＪに対向してパワーメータ又は光ディスク（不図示）を配置し、パワーメータの出力或いは光検出器からの再生信号の大きさを見ながら、作業者が、図３に示すように、調整ねじＨＦＲｂの十字穴に係合させた調整用治具Ｊを回転させることで、半導体レーザの調整を行える。出射光量と受光のバランスを整えるために、半固定抵抗ＨＦＲの調整ねじＨＦｂを回すことができる。尚、図３に示す状態に対して天地を逆にしたり、或いは穴の軸線を水平にするように光ピックアップ装置を配置すると、より調整が容易になる。
【００３５】
本実施の形態によれば、図１，２を参照して、半導体レーザ５，１５の出力を調整するための半固定抵抗ＨＦＲの調整ねじＨＦＲｂが、片側実装基板ＣＢの実装面（図３で上面）とは裏側の背面（図３で下面）側から見えるように配置されているため、対物レンズＯＢＪに対向して配置したパワーメータ又は光ディスク（不図示）の再生信号をモニタしながら、確実に半固定抵抗ＨＦＲの調整ねじＨＦＲｂを回すことが出来、半導体レーザ５，１５の出力調整の精度と自由度が増し、短時間で効率的に調整を行える。更に、図１２に示すように、対物レンズＯＢＪを下方に向けるようにして光ピックアップ装置を測定用の台座にセットすることにより、半導体レーザ５，１５の出力を調整するための半固定抵抗ＨＦＲの調整面が、片側実装基板ＣＢの実装面（図１２で下面となる第１の面）とは裏側の面（図１２で上面となる第２の面）側から調整可能に配置されることとなるため、対物レンズＯＢＪからレーザ光束ＬＢが出射する方向とは反対側で、作業者ＷＭが上方より片側実装基板ＣＢの穴ＣＢａ及びキャリヤＣＹの穴ＣＹａ（図３参照）を介して治具Ｊを挿入して、確実に半固定抵抗ＨＦＲの調整ねじＨＦＲｂ（図３参照）にアクセスして調整を行えることから、作業者ＷＭの安全を確保できる。又、半固定抵抗ＨＦＲを取り付ける基板ＣＢが片面実装基板であるため、光ピックアップ装置ＰＵの製作工程が簡略化され、両面実装基板やフレキシブルプリント配線基板等を用いる場合に比べると、コスト低減を図れる。
【００３６】
図７は、本実施の形態の変形例にかかる図３と同様な図である。図７において、穴の代わりに、キャリヤＣＹには、切欠きＣＹａ’が形成され、それに重なるようにして基板ＣＢにも、切欠きＣＢａ’が形成されている。切欠きＣＹａ’、ＣＢａ’は、図７で下面側から半固定抵抗ＨＦＲの調整ねじＨＦＲｂにアクセス可能なように調整用治具（不図示）が通過可能なサイズを有し、即ち調整面を見通せるようになっている。尚、以上の実施の形態において、キャリヤＣＹに基板ＣＢを組み付けた状態で、穴ＣＢａもしくは切欠きＣＢａ’が見通せるようになっていれば、キャリヤに穴ＣＹａもしくは切欠きＣＹａ’を形成する必要はない。
【００３７】
図９〜１１は、ハウジングであるキャリヤＣＹと片側実装基板ＣＢとの関係を示す図であり、図９は本実施の形態に対応し、図１０，１１はその変形例に対応し、（ａ）が断面図であり、（ｂ）が斜視図である。図９の形態においては、キャリヤＣＹの上面に片側実装基板ＣＢの下面（第２の面）全体が接合されており、片側実装基板ＣＢの上面（第１の面）には電子部品ＥＭと、半固定抵抗ＨＦＲが取り付けられている。図示していないが、図９でキャリヤＣＹの上面側から上方に向かってレーザ光束が出射されるものとする。半固定抵抗ＨＦＲの下面の調整面ＨＦＲｂは、キャリヤＣＹの穴ＣＹａ及び片側実装基板ＣＢの穴ＣＢａを介して、キャリヤＣＹの下方より不図示の治具をアクセスさせることで調整可能である。
【００３８】
図１０の変形例においては、キャリヤＣＹの上面に片側実装基板ＣＢの下面（第２の面）の一部が接合されており、片側実装基板ＣＢの上面（第１の面）には電子部品ＥＭと、半固定抵抗ＨＦＲが取り付けられている。図示していないが、図１０でキャリヤＣＹの上面側から上方に向かってレーザ光束が出射されるものとする。半固定抵抗ＨＦＲの下面の調整面ＨＦＲｂは、キャリヤＣＹから側方に張り出した片側実装基板ＣＢの穴ＣＢａを介して、キャリヤＣＹの下方より不図示の治具をアクセスさせることで調整可能である。
【００３９】
図１１の変形例においては、キャリヤＣＹの下面に片側実装基板ＣＢの上面（第１の面）の一部が接合されており、接合されていない片側実装基板ＣＢの上面には電子部品ＥＭと、半固定抵抗ＨＦＲが取り付けられている。図示していないが、図１１でキャリヤＣＹの上面側から上方に向かってレーザ光束が出射されるものとする。半固定抵抗ＨＦＲの下面の調整面ＨＦＲｂは、キャリヤＣＹから側方に張り出した片側実装基板ＣＢの穴ＣＢａを介して、キャリヤＣＹの下方（第２の面側）より不図示の治具をアクセスさせることで調整可能である。
【００４０】
図８は、本実施の形態の変形例にかかる図３と同様な図である。図８においては、調整素子としてサーミスタＴＴを用いている。サーミスタＴＴは、片側実装基板ＣＢの実装面（図８で上面）に接続されており、外部の温度を感知する調整面ＴＴａを有している。調整面ＴＴａは図８で下面側に設けられており、片側実装基板ＣＢの穴ＣＢａを通して、図８で下面側から見通せるようになっている。抵抗の調整は、調整治具（不図示）である加熱器を穴ＣＢａの下面に近づけ、穴ＣＢａを通して伝導する熱を用いて、サーミスタＴＴの調整面ＴＴａを所定温度に調整することで行う。それ以外の構成については、上述した実施の形態と同様であるため説明を省略する。
【００４１】
以上、本発明を実施の形態を参照して説明してきたが、本発明は上記実施の形態に限定して解釈されるべきではなく、適宜変更・改良が可能であることはもちろんである。例えば、キャリヤに切欠きを形成し、基板に穴を形成しても良く、或いはキャリヤに穴を形成し、基板に切欠きを形成しても良い。更に、穴または切欠きの数は、半固定抵抗の数と同数であっても良い。
【図面の簡単な説明】
【００４２】
【図１】本実施の形態にかかる光ピックアップ装置を対物レンズが配置された側から見た図である。
【図２】本実施の形態にかかる光ピックアップ装置を対物レンズとは反対側から見た図である。
【図３】穴ＣＹａ、ＣＢａ内に配置された半固定抵抗ＨＦＲの斜視図である。
【図４】本実施の形態の光ピックアップ装置ＰＵの概略側面図である。
【図５】図４の構成をV-V線を含む面で切断して矢印方向に見た断面図である。
【図６】本発明による半固定抵抗ＨＦＲを用いた半導体レーザの駆動回路ＡＰＣを示す回路図である。
【図７】本実施の形態の変形例にかかる図３と同様な図である。
【図８】本実施の形態の変形例にかかる図３と同様な図である。
【図９】ハウジングであるキャリヤＣＹと片側実装基板ＣＢとの関係を示す図である。
【図１０】ハウジングであるキャリヤＣＹと片側実装基板ＣＢとの関係を示す図である。
【図１１】ハウジングであるキャリヤＣＹと片側実装基板ＣＢとの関係を示す図である。
【図１２】本実施の形態における半固定抵抗を調整する際における作業者との位置関係を示す図である。
【図１３】従来技術の光ピックアップ装置における半固定抵抗の取り付け位置を示す図である。
【図１４】従来技術の光ピックアップ装置における半固定抵抗の取り付け位置を示す図である。
【図１５】従来技術における半固定抵抗を調整する際における作業者との位置関係を示す図である。
【符号の説明】
【００４３】
３ コリメートレンズ
４ ミラー
５ 青紫色半導体レーザ
６ 青紫色用偏光ビームスプリッタ
７ パワーモニタ
９ λ／４波長板
１１ 偏光ビームスプリッタ
１２ サーボレンズ
１３ 光検出器
１５ 赤外色半導体レーザ
ＡＣＴ アクチュエータ
ＡＰＣ 駆動回路
ＣＢ 基板
ＣＢａ’ 切欠き
ＣＢａ 穴
ＣＰ コンパレータ
ＣＴ コネクタ
ＣＹ キャリヤ
ＣＹａ’ 切欠き
ＣＹａ 穴
Ｅ 電源
Ｇ１，Ｇ２ ガイド軸
ＨＦＲ 半固定抵抗
ＨＦＲａ 金属脚
ＨＦＲｂ  調整ねじ
Ｊ 調整用治具
ＯＢＪ 対物レンズ
ＰＵ 光ピックアップ装置
ＳＴ スイッチングトランジスタ
ＴＬ 端子
ＴＴ サーミスタ
【図２】
2009151852.tif 000003
【図３】
2009151852.tif 000004
【図４】
2009151852.tif 000005
【図５】
2009151852.tif 000006
【図６】
2009151852.tif 000007
【図７】
2009151852.tif 000008
【図８】
2009151852.tif 000009
【図９】
2009151852.tif 000010
【図１０】
2009151852.tif 000011
【図１１】
2009151852.tif 000012
【図１２】
2009151852.tif 000013
【図１３】
2009151852.tif 000014
【図１４】
2009151852.tif 000015
【図１５】
2009151852.tif 000016
【図１】
2009151852.tif 000017